(57)【要約】【課題】本発明は、レンジフード本体の下部の開口とともに吸気口を形成する整流板を有するレンジフードにおいて、できるだけ簡便な構成で吸気口からの洗浄液の漏出を防止できる技術の提供を目的とする。【解決手段】レンジフード１は、流体を内部空間Ｓに取り込む吸気口を有するハウジング２と、ハウジングの下方の開口に対応して配置されており、ハウジング２とともに内部空間Ｓを形成する整流板１３と、ハウジング２の内部空間Ｓの洗浄時に洗浄液を供給する洗浄液供給部６５と、整流板１３を上下動可能に支持する第１支持部８０と、を備え、吸気口が、ハウジング２の開口と整流板１３との間の隙間により形成されており、洗浄液供給部６５により内部空間Ｓに洗浄液を供給する場合、第１支持部８０は、ハウジング２と整流板１３とが接触する接触位置Ｐ１に整流板１３を支持して吸気口を閉鎖させる。【選択図】図４
2019158258.tif 000002
【特許請求の範囲】
【請求項１】
下方に開口を有する箱状に形成されており、流体を内部空間に取り込む吸気口と、前記内部空間から流体を排気する排気口とを有するハウジングと、
前記ハウジングの下方の前記開口に対応して配置されており、前記ハウジングとともに前記内部空間を形成する整流板と、
前記ハウジングの内部空間の洗浄時に洗浄液を供給する洗浄液供給部と、
前記整流板を上下動可能に支持する第１支持部と、を備え、
前記吸気口が、前記ハウジングの前記開口と前記整流板との間の隙間により形成されており、
前記洗浄液供給部により前記内部空間に洗浄液を供給する場合、前記第１支持部は、前記ハウジングと前記整流板とが接触する接触位置に前記整流板を支持して前記吸気口を閉鎖させる、レンジフード。
【請求項２】
前記第１支持部による前記整流板の前記接触位置への支持を補助する第２支持部を備える、請求項１に記載のレンジフード。
【請求項３】
前記第２支持部は、前記ハウジング又は前記整流板に配置された退避位置と、前記接触位置に支持された前記整流板の下方を支持する支持位置との間を移動可能である、請求項２に記載のレンジフード。
【請求項４】
前記第２支持部による前記整流板の前記接触位置への支持を検出する検出部を備え、
前記洗浄液供給部は、前記検出部が前記第２支持部による前記整流板の支持を検出すると、前記内部空間に洗浄液を供給可能とする、請求項２又は３に記載のレンジフード。
【請求項５】
前記第１支持部は、
前記ハウジングに取り付けられている固定部と、
前記整流板に取り付けられており、前記固定部に対して、前記整流板とともに上下動可能な可動部と、を有し、
前記固定部は、前記整流板が前記接触位置に支持されるように、前記可動部が係止する係止部を有している、請求項１〜４のいずれか１項に記載のレンジフード。
【請求項６】
前記可動部は、前記固定部に対して付勢される付勢部材を有しており、
前記整流板が前記接触位置の下方に位置する場合には、前記付勢部材は前記固定部から前記押圧力を受けており、前記整流板が前記接触位置に位置する場合には、前記押圧力の一部が開放され、前記可動部が前記係止部に係止している、請求項５に記載のレンジフード。
【請求項７】
前記第１支持部は付勢部材を有しており、前記付勢部材の付勢力によって、前記第１支持部は、前記接触位置に前記整流板を支持して前記吸気口を閉鎖させる、請求項１〜４のいずれか１項に記載のレンジフード。
【請求項８】
前記ハウジングの前記内部空間は、第１空間と、前記第１空間の上方に連続する第２空間とを含み、前記第１空間と前記第２空間との間には、前記整流板と面する上面部が設けられており、
前記第１支持部が前記整流板を前記接触位置に支持し、前記整流板が前記上面部と接触することで、前記吸気口が閉鎖される、請求項１〜７のいずれか１項に記載のレンジフード。
【請求項９】
前記第１支持部が、前記接触位置よりも下方の離隔位置に前記整流板を支持することで、前記吸気口が開放される、請求項１〜８のいずれか１項に記載のレンジフード。
【発明の詳細な説明】
【技術分野】
【０００１】
本発明は、レンジフードに関する。
【背景技術】
【０００２】
特許文献１及び特許文献２には、煙、湯気及び臭気等の調理に伴って排出される排気を吸い込んで外部に排気するためのレンジフードが開示されている。
【０００３】
特許文献１のレンジフードは、フード本体と、フード本体内に設けられ、送風機が配置された送風機庫と、送風機庫内に配置された洗浄液タンクと、ダクト配管とを備えている。フード本体は、背面板、前面板、左右の側面板、天板によって、下面が開口した箱状に形成されている。フード本体の内部は仕切板で仕切られており、仕切板の奥側に送風機庫が形成されている。仕切板には、送風機庫内に配置された送風機の前面に対応する位置に、吸気口が設けられている。また、吸気口の前面には、吸気口よりも大きな縦板状である吸気シャッタが設けられている。吸気シャッタは、前方の開放位置と後方の閉鎖位置との間で前後方向に移動することで吸気口を開閉する。吸気シャッタは、吸気口から離れて前方に移動した状態では、整流板として機能する。
【０００４】
排気を外部に排出する場合には、吸気シャッタ用モータにより吸気シャッタが開放位置に駆動される。そして、送風機が駆動されると、フード本体の下面の開口からフード本体内部に排気が吸い込まれ、吸気シャッタを整流板として吸気口から送風機庫内部に排気が取り込まれる。送風機庫内部に吸い込まれた排気は、送風機庫とダクト配管との境界に設けられた排気中の油分等を除去するフィルタを通った後、ダクト配管から排出される。
【０００５】
一方、送風機庫内部及びフィルタ等を自動洗浄する場合には、吸気シャッタ用モータにより吸気シャッタが閉鎖位置に駆動される。そして、清掃信号が入力されると、送風機のファンが低速で駆動され、洗浄液タンク内の洗浄液が送水管からフィルタの上部に供給される。これにより、洗浄液タンク内の洗浄液は、フィルタの上部を介して、駆動しているファンに供給され、送風機庫の内面に吹き付けられる。このとき、前述の通り吸気シャッタにより吸気口が閉鎖されているため、洗浄液及び油分等を含む廃液は吸気口から漏出しない。
【０００６】
特許文献２のレンジフードは、フード本体と、筒体を通じてフード本体と連結されており、送風機が配置されたケーシングと、ケーシングに連結されているダクト配管と、フード本体内に配置された洗浄液噴出部とを備えている。フード本体は、下面板と、上面板と、側面板とに囲まれた箱状体に構成されている。下面板内の端部側には、下板面に形成された開口により空気取込口が構成されており、下面板は空気取込口からフード本体に空気を取り込む際の整流板として機能する。空気取込口にはシャッタが設けられており、シャッタが駆動されることで空気取込口が開閉される。
【０００７】
排気を外部に排出する場合には、送風機が駆動され、空気が排出されてフード本体内は負圧となり、空気取入口のシャッタが上方に揺動して空気取入口が開放される。そして、空気取入口を介してフード本体内に排気が吸い込まれ、吸い込まれた排気は、フード本体と筒体との境界に設けられた排気中の油分等を除去するためにフィルタを通った後、筒体を経てダクトから排出される。
【０００８】
また、洗浄液噴出部により自動洗浄する場合には、送風機が停止される。これにより、フード内が正圧となり、シャッタが自重により下方に揺動して空気取入口が閉鎖される。そして、洗浄液噴出部からフード本体及びフィルタ等に洗浄液が噴射されてフィルタ及びフード本体の内面が自動で洗浄される。このとき、前述の通り空気取入口が閉鎖されているため、洗浄液及び油分等を含む廃液は空気取入口から漏出しない。
【先行技術文献】
【特許文献】
【０００９】
【特許文献１】特許第４３１０５５８号公報
【特許文献２】特許第３９０６４５３号公報
【発明の概要】
【発明が解決しようとする課題】
【００１０】
特許文献１のレンジフードでは、整流板である吸気シャッタは、送風機庫に対して前方に設けられている。また、特許文献２のレンジフードでは、整流板である下面板は、側面板等と一体となってフード本体の一部を構成している。そして、吸気口は下面板に開口を形成することで構成されている。
【００１１】
一方で、特許文献１及び特許文献２のレンジフードとは異なり、箱状体のレンジフード本体の下部の開口に対応して、レンジフード本体とは別体で整流板が備えられたレンジフードが提案されている。このレンジフードでは、レンジフード本体の下部の開口周縁と整流板との間の隙間により吸気口が形成されている。
【００１２】
このようなレンジフードにおいても、レンジフード本体内に洗浄液噴出部を設けてレンジフード本体内部を洗浄することが望まれているが、特許文献１及び特許文献２のレンジフードと比べて吸気口の形成領域が大きいことから、吸気口から洗浄液の漏出を防止するための構造が大がかりで複雑なものとなり易いものであった。
【００１３】
そこで、本発明は上述の課題に鑑みてなされたものであり、レンジフード本体の下部の開口に設けられ、開口とともに吸気口を形成する整流板を有するレンジフードにおいて、できるだけ簡便な構成で吸気口からの洗浄液の漏出を防止できる技術の提供を目的とする。
【課題を解決するための手段】
【００１４】
本発明に係るレンジフードの特徴構成は、
下方に開口を有する箱状に形成されており、流体を内部空間に取り込む吸気口と、前記内部空間から流体を排気する排気口とを有するハウジングと、
前記ハウジングの下方の前記開口に対応して配置されており、前記ハウジングとともに前記内部空間を形成する整流板と、
前記ハウジングの内部空間の洗浄時に洗浄液を供給する洗浄液供給部と、
前記整流板を上下動可能に支持する第１支持部と、を備え、
前記吸気口が、前記ハウジングの前記開口と前記整流板との間の隙間により形成されており、
前記洗浄液供給部により前記内部空間に洗浄液を供給する場合、前記第１支持部は、前記ハウジングと前記整流板とが接触する接触位置に前記整流板を支持して前記吸気口を閉鎖させる点にある。
【００１５】
本特徴構成によれば、下部の開口に整流板が設けられたレンジフードにおいて、洗浄液が内部空間に供給される場合、整流板は第１支持部により接触位置に支持される。これにより、ハウジングと整流板とが接触することで吸気口が閉鎖される。よって、ハウジングの内部空間の洗浄時において、吸気口から洗浄液及び油分等を含む廃液が漏出するのを簡便な構成により抑制できる。また、この場合、吸気口を開閉するための別途のシャッタが不要である。
なお、整流板の上下動はユーザによる手動であってもよいし、別途の駆動部による自動であってもよい。
【００１６】
本発明に係るレンジフードの更なる特徴構成は、
前記第１支持部による前記整流板の前記接触位置への支持を補助する第２支持部を備える点にある。
【００１７】
本特徴構成によれば、整流板の接触位置への支持は、第１支持部だけでなく第２支持部によっても行われる。よって、洗浄液が内部空間に供給される場合において、整流板が接触位置から移動してずれてしまうのを抑制できる。つまり、ハウジングと整流板とがより確実に接触するので、吸気口の閉鎖もまたより確実に行われる。よって、ハウジングの内部空間の洗浄時において、吸気口から洗浄液及び油分等を含む廃液が漏出するのをさらに抑制できる。
【００１８】
本発明に係るレンジフードの更なる特徴構成は、
前記第２支持部は、前記ハウジング又は前記整流板に配置された退避位置と、前記接触位置に支持された前記整流板の下方を支持する支持位置との間を移動可能である点にある。
【００１９】
本特徴構成によれば、第２支持部は、整流板が第１支持部により接触位置に支持された場合、退避位置から移動されることで整流板の下方を支持する。よって、第１支持部による整流板の支持に加えて、第２支持部によって整流板を接触位置により確実に支持できる。
【００２０】
また、第２支持部は、ハウジング又は整流板において退避位置に位置付けられている。よって、整流板を上下動させる際に第２支持部が邪魔にならない。また、内部空間に排気を取り込む際には、吸気口が開放されている。このように吸気口が開放されている場合に、第２支持部が退避位置においてハウジング又は整流板に位置付けられているため、吸気口からの排気の取り込みにおいて第２支持部が邪魔にならない。
【００２１】
本発明に係るレンジフードの更なる特徴構成は、
前記第２支持部による前記整流板の前記接触位置への支持を検出する検出部を備え、
前記洗浄液供給部は、前記検出部が前記第２支持部による前記整流板の支持を検出すると、前記内部空間に洗浄液を供給可能とする点にある。
【００２２】
本特徴構成によれば、第２支持部が整流板を支持していることが検出されると、洗浄液供給部は、内部空間に洗浄液を供給可能となる。つまり、整流板を第１支持部及び第２支持部によって接触位置に支持させて、吸気口の閉鎖の確実性が高まった状態において、洗浄液が内部空間に供給できる。
【００２３】
本発明に係るレンジフードの更なる特徴構成は、
前記第１支持部は、
前記ハウジングに取り付けられている固定部と、
前記整流板に取り付けられており、前記固定部に対して、前記整流板とともに上下動可能な可動部と、を有し、
前記固定部は、前記整流板が前記接触位置に支持されるように、前記可動部が係止する係止部を有している点にある。
【００２４】
本特徴構成によれば、ハウジングに取り付けられた固定部と、整流板に取り付けられた可動部との組み合わせにより第１支持部が構成される。可動部が固定部に対して上下動すると、可動部が取り付けられた整流板も上下動する。そして、可動部が固定部の係止部に係止することで整流板が接触位置に支持される。
【００２５】
本発明に係るレンジフードの更なる特徴構成は、
前記可動部は、前記固定部に対して付勢される付勢部材を有しており、
前記整流板が前記接触位置の下方に位置する場合には、前記付勢部材は前記固定部から前記押圧力を受けており、前記整流板が前記接触位置に位置する場合には、前記押圧力の一部が開放され、前記可動部が前記係止部に係止している点にある。
【００２６】
本特徴構成によれば、整流板を接触位置の下方に位置させた状態では、固定部は可動部の付勢部材に押圧力を加えている。一方、可動部を固定部に対して移動させて整流板を接触位置に位置させた状態では、押圧力の一部が開放されて可動部が固定部の係止部に係止する。よって、可動部に設けられた付勢部材を用い、可動部を固定部の係止部に係止可能である。これにより、整流板が接触位置に支持され、ハウジングと整流板とが接触して吸気口が閉鎖される。
【００２７】
本発明に係るレンジフードの更なる特徴構成は、
前記第１支持部は付勢部材を有しており、前記付勢部材の付勢力によって、前記第１支持部は、前記接触位置に前記整流板を支持して前記吸気口を閉鎖させる点にある。
【００２８】
本特徴構成によれば、可動部に設けられた付勢部材を用い、付勢部材の付勢力によって、可動部を固定部の係止部に係止可能である。これにより整流板が接触位置に支持され、吸気口を閉鎖できる。
【００２９】
本発明に係るレンジフードの更なる特徴構成は、
前記ハウジングの前記内部空間は、第１空間と、前記第１空間の上方に連続する第２空間とを含み、前記第１空間と前記第２空間との間には、前記整流板と面する上面部が設けられており、
前記第１支持部が前記整流板を前記接触位置に支持し、前記整流板が前記上面部と接触することで、前記吸気口が閉鎖される点にある。
【００３０】
本特徴構成によれば、内部空間の第１空間と第２空間との間に、整流板と面する上面部が設けられている。よって、整流板が第１支持部により接触位置に支持された場合、上面部と整流板とを接触させることで吸気口を閉鎖させることができる。
【００３１】
本発明に係るレンジフードの更なる特徴構成は、
前記第１支持部が、前記接触位置よりも下方の離隔位置に前記整流板を支持することで、前記吸気口が開放される点にある。
【００３２】
本特徴構成によれば、第１支持部が整流板を離隔位置に支持することで吸気口が開放されるため、吸気口を介して排気をハウジング内に取り込むことができる。
【図面の簡単な説明】
【００３３】
【図１】斜め上方から見たレンジフードの全体斜視図である。
【図２】レンジフードの横断面図である（離隔位置Ｐ０）。
【図３】図２の縦断面図である（離隔位置Ｐ０）。
【図４】第１支持部により整流板を支持した場合の縦断面図である（接触位置Ｐ１）。
【図５】第２支持部により整流板を支持した場合のレンジフードの横断面図である（接触位置Ｐ１）。
【図６】第２支持部により整流板を支持した場合の縦断面図である（接触位置Ｐ１）。
【図７】第１支持部としてのプランジャ機構の模式図である（離隔位置Ｑ０）。
【図８】第１支持部としてのプランジャ機構の模式図である（接触位置Ｑ１）。
【図９】第２支持部の模式図である（退避位置）。
【図１０】第２支持部の模式図である（支持位置）。
【図１１】レンジフードの縦断面図である（離隔位置Ｐ０）。
【図１２】第１支持部により整流板を支持した場合の縦断面図である（接触位置Ｐ１）。
【図１３】第２支持部により整流板を支持した場合の縦断面図である（接触位置Ｐ１）。
【図１４】レンジフードの横断面図である（離隔位置Ｐ０）。
【図１５】図１４の縦断面図である（離隔位置Ｐ０）。
【図１６】第１支持部により整流板を支持した場合のレンジフードの横断面図である（接触位置Ｐ１）。
【図１７】図１６の縦断面図である（接触位置Ｐ１）。
【図１８】第２支持部により整流板を支持した場合のレンジフードの横断面図である（接触位置Ｐ１）。
【図１９】図１８の縦断面図である（接触位置Ｐ１）。
【発明を実施するための形態】
【００３４】
〔実施形態〕
本発明に係るレンジフードの実施形態について、図面を参照して説明する。まずはレンジフードの全体構成について図１〜図３を用いて説明する。
【００３５】
（１）レンジフードの全体構成
レンジフード１は、調理器（図示せず）の上方に設けられている。図１及び図３に示すように、レンジフード１は、箱状のハウジング２と、ハウジング２の下部に設けられた整流板１３と、ハウジング２の上部に設けられた排気口１９と、洗浄時にハウジング２の内部に洗浄液を供給する洗浄液供給部６５とを備えている。また、レンジフード１は、洗浄液供給部６５から洗浄液の供給を受け、レンジフード１の内部空間に洗浄液を噴射する洗浄液噴射部Ｎ（フード洗浄部４０、庫内洗浄部７０、送風機洗浄部４７）を備えている。また、レンジフード１は、レンジフード１での換気、レンジフード１の洗浄等の各種を動作させるための複数のボタン等の指示受付部（図示せず）を備えている。そして、レンジフード１は、指示受付部がユーザ等から指示を受け付けると、指示に応じた処理を行う制御部２０を備えている。
【００３６】
以下では、図１等に示す方向、つまり上、下、前、後、右、左にしたがって説明を行う。具体的には、整流板１３側を下とし、排気口１９側を上として上下方向を規定している。また、上下方向に対して直交する前後方向において、フード部１１の突出方向が前であり、その反対が後である。そして、これら上下方向及び前後方向に直交する方向が左右方向である。但し、この向きによって、本発明が限定されるものではない。
【００３７】
ハウジング２は、内部に第２空間Ｓ２（図３）を有し、下面が開口した直方体状の送風機庫１７と、送風機庫１７の下方に連続して形成され、送風機庫１７内部の第２空間Ｓ２と連通する第１空間Ｓ１（図３）を内部に有するフード部１１とを有する。フード部１１は、調理器（図示せず）を覆うように、送風機庫１７よりも前側、左右両側が拡張されて形成されており、フード部１１の後面と、送風機庫１７の後面とは概ね面一である。送風機庫１７の第２空間Ｓ２には送風機１５が設けられている。
【００３８】
ハウジング２の下部、つまりフード部１１の下部は開口を有しており、このフード部１１の下部の開口に対応して整流板１３が配置されている。この整流板１３とハウジング２とにより内部空間Ｓが形成されている。この内部空間Ｓに、フード部１１と整流板１３とにより形成される、フード部１１の内部の第１空間Ｓ１と、送風機庫１７の内部の第２空間Ｓ２とが含まれている。
【００３９】
送風機１５が駆動されると、内部空間Ｓには整流板１３の後述の吸気口２３を介して、調理で発生した煙、湯気及び臭気等の排気が取り込まれる。内部空間Ｓに取り込まれた排気は、ハウジング２の送風機庫１７の上部に設けられた排気口１９から排出される。
【００４０】
整流板１３についてさらに説明する。整流板１３は、四角形の板状の底壁１３ａと、底壁１３ａの４辺から上方に延出した側壁１３ｂとを有しており、上部の開口した扁平な箱状に構成されている。この整流板１３は、レンジフード１の最下部に、フード部１１の開口に対応して配置されている。上面視において、整流板１３は、フード部１１の開口よりも一回り小さく、フード部１１の開口の一部を覆うように配置されている。そして、整流板１３は、ハウジング２の内部に設けられた第１支持部８０によって、ハウジング２に対して吊り下げ状態で取り付けられている。
このように、整流板１３は、フード部１１の下部に配置され、上部の開口した扁平な箱状に構成されているため、ハウジング２内に洗浄液を供給すると、整流板１３が洗浄液及び油分等を含む廃液の受け皿となる。
【００４１】
第１支持部８０は、図１、図２等に示すように、例えば棒状の部材であり、ハウジング２の内壁において、整流板１３の底壁１３ａと対向する位置に取り付けられている。本実施形態では、第１支持部８０は、整流板１３の底壁１３ａの４隅に対応するように、フード部１１のパネル部１１ａ（上面部）に設けられた第１支持部８０ａ、８０ｂ、８０ｃ、８０ｄを含む。これらの第１支持部８０ａ〜８０ｄは、棒状の一端が、パネル部１１ａに固定されることで取り付けられている。そして、第１支持部８０は、棒状の他端が、整流板１３の底壁１３ａの上面の４隅に取り付けられることで、整流板１３をハウジング２に対して吊り下げている。
なお、第１支持部８０という場合は、第１支持部８０ａ〜８０ｄの総称をいうものとする。
【００４２】
第１支持部８０は、上下方向に伸縮可能であり、第１支持部８０が上下に伸縮することで、整流板１３がフード部１１内で上下する。例えば、整流板１３は、第１支持部８０の伸縮に伴って、底壁１３ａの下面がフード部１１の開口面と概ね面一となる離隔位置Ｐ０（図３等）と、側壁１３ｂの上端がハウジング２、具体的にはパネル部１１ａ（上面部）及び後述の前方板状部２４（上面部）に概ね接触する接触位置Ｐ１（図４等）との間を上下する。なお、整流板１３の側壁１３ｂの上面には、略全面に亘ってゴムパッキン等のシール材（図示せず）が取付けられており、側壁１３ｂの上端がパネル部１１ａ（上面部）及び前方板状部２４（上面部）に概ね接触する接触位置Ｐ１に位置した状態では、ある程度水密を維持した状態となっている。
【００４３】
そして、整流板１３は、離隔位置Ｐ０から接触位置Ｐ１まで上昇されて第１支持部８０により支持された後、第２支持部９０により底壁１３ａの下面が支持される。本実施形態では、第２支持部９０は第２支持部９０ａ、９０ｂを含む。第２支持部９０ａ、９０ｂそれぞれは、整流板１３を支持しない未使用時には、整流板１３の左右両側それぞれに対応して、外周部１１ｂの収納部１２ａ、１２ｂ内に収納されている。
なお、第２支持部９０という場合は、第２支持部９０ａ、９０ｂの総称をいうものとする。同様に、収納部１２という場合は、収納部１２ａ、１２ｂの総称をいうものとする。
第１支持部８０及び第２支持部９０の具体的構成、及び、整流板１３の上下動の詳細については後述する。
【００４４】
前述の通り、上面視において、整流板１３は、フード部１１の四角形状の開口よりも一回り小さい。よって、整流板１３が、離隔位置Ｐ０に配置されている場合には、図１、図２に示すように、上面視において、フード部１１の四角形状の開口と、四角形状の整流板１３の外周との間には四角の環状の隙間が形成されている。この隙間により、排気を取り込むための吸気口２３が形成されている。そして、この吸気口２３からハウジング２の内部空間Ｓに排気が取り込まれるが、吸気口２３が環状の隙間により形成されることで、吸気口２３の開口面積が絞られ、調理で発生した油分を含んだ排気の吸込速度が高まる。
【００４５】
なお、後述するが、吸気口２３は、レンジフード１の内部に洗浄液が噴射される場合には、整流板１３が接触位置Ｐ１まで上昇することで閉鎖される。よって、洗浄時に洗浄液及び油分等を含む廃液が、レンジフード１から漏出するのが抑制される。
一方、レンジフード１の内部空間Ｓに排気を取り込む場合には、離隔位置Ｐ０まで整流板１３が下降され、フード部１１と整流板１３の外周とにより、排気取り込み用の吸気口２３が形成される。
【００４６】
整流板１３には第１排水口２５が設けられており、レンジフード１の第１空間Ｓ１及び第２空間Ｓ２に噴射された洗浄液が第１排水口２５を介して排水される。第１排水口２５は、整流板１３の左右方向の中央部かつ前後方向の後部に設けられている。第１排水口２５からは排水管２６が延びている。整流板１３の底壁１３ａは、側壁１３ｂから第１排水口２５に向かうにつれて下方に向かっていると、排水が第１排水口２５に向かい易く好ましい。例えば、底壁１３ａは、前後方向において第１排水口２５に向かうにつれて下方に向かう構成と、左右方向において第１排水口２５に向かうにつれて下方に向かう構成との少なくともいずれかの構成が採用されて形成されていると好ましい。
【００４７】
フード部１１は、パネル部１１ａと、パネル部１１ａに連続して形成された外周部１１ｂとを有する。パネル部１１ａは、整流板１３が下方に配置された状態で、整流板１３と対向する板状部材である。外周部１１ｂは、パネル部１１ａの前側、左側及び右側において、パネル部１１ａの外側に向かって連続して、かつ下方に突出して形成されている。
【００４８】
そして、パネル部１１ａが整流板１３と対向しており、外周部１１ｂが整流板１３の前側、左側及び右側を吸気口２３を介して取り囲んでいる。フード部１１と整流板１３とにより図３等に示す第１空間Ｓ１が形成され、この第１空間Ｓ１に吸気口２３から取り込まれた排気が導入される。
【００４９】
第１空間Ｓ１には、整流板１３の上面に設けられたフード上方向噴射部４１と、フード部１１のパネル部１１ａの下面に設けられたフード下方向噴射部４３とを含むフード洗浄部４０が備えられている。フード上方向噴射部４１は、弁５１を介して洗浄液供給部６５に接続されており、フード下方向噴射部４３は、弁５３を介して洗浄液供給部６５に接続されている。そして、フード上方向噴射部４１は、制御部２０により弁５１が操作されることで、フード部１１のパネル部１１ａに対して、下部から上部に向かって洗浄液を噴射する。フード下方向噴射部４３は、制御部２０により弁５３が操作されることで、整流板１３に対して上部から下部に向かって洗浄液を噴射する。
【００５０】
なお、フード洗浄部４０は、フード上方向噴射部４１及びフード下方向噴射部４３を含まず、単一の多頭ノズルから構成され、この多頭ノズルから洗浄液を噴射して第１空間Ｓ１を洗浄してもよい。
第１空間Ｓ１に噴射された洗浄液及び油分等を含む廃液は、整流板１３が受け皿となり、整流板１３に設けられた第１排水口２５から排水される。
【００５１】
送風機庫１７は、フード部１１の上部に設けられた中空の直方体状の筐体である。送風機庫１７は、上壁１７ａと、上壁１７ａの４辺から下方に延びる側壁１７ｂと、上壁１７ａと対向する底壁１７ｃとを有している。側壁１７ｂには、図３等に示すように、前側の側壁１７ｂ１及び後側の側壁１７ｂ２が含まれる。また、側壁１７ｂには、図示しない左側の側壁及び右側の側壁が含まれる。
【００５２】
後側の側壁１７ｂ２には送風機１５が取り付けられており、送風機１５の下部に対応して底壁１７ｃが設けられている。底壁１７ｃには、左右方向の中央部かつ前後方向の後部に、洗浄液及び汚れ等を排水するための第２排水口２７が設けられている。第２排水口２７からは、排水管２８が延びている。底壁１７ｃは、側壁１７ｂから第２排水口２７に向かうにつれて下方に向かっていると、排水が第２排水口２７に向かい易く好ましい。例えば、底壁１７ｃは、前後方向において第２排水口２７に向かうにつれて下方に向かう構成と、左右方向において第２排水口２７に向かうにつれて下方に向かう構成との少なくともいずれかの構成が採用されて形成されていると好ましい。
【００５３】
また、送風機庫１７は、底壁１７ｃの前端から概ね上方に向かって延びる隔壁２１を有する。隔壁２１は、送風機庫１７内の第２空間Ｓ２を、隔壁２１の前側の第２空間Ｓ２ａと、隔壁２１の後側の第２空間Ｓ２ｂとに区画している。第２空間Ｓ２ａは、第１空間Ｓ１と連通しており、排気が吸気口２３から最初に取り込まれる。後側の第２空間Ｓ２ｂは、前側の第２空間Ｓ２ａと隣接しており、送風機１５が配置される。
なお、吸気口２３は、フード部１１の外周部１１ｂと整流板１３との間に加えて、隔壁２１と整流板１３との間にも形成されて、四角の環状の隙間として形成されている。
【００５４】
隔壁２１には、送風機１５と対向する位置に開口２２が設けられている。送風機１５が駆動されると、開口２２を介して、前側の第２空間Ｓ２ａから後側の第２空間Ｓ２ｂに向かう空気流が形成される。
【００５５】
隔壁２１の前側の第２空間Ｓ２ａには、第２空間Ｓ２ａの中央部に設けられた庫内洗浄部７０が備えられている。庫内洗浄部７０は、送風機庫１７の第２空間Ｓ２のうち隔壁２１の前側の第２空間Ｓ２ａに対して洗浄液を噴射する洗浄部であり、庫内上方向噴射部７１と庫内下方向噴射部７３とを有する。庫内上方向噴射部７１は弁５７を介して洗浄液供給部６５に接続されており、庫内下方向噴射部７３は弁５９を介して洗浄液供給部６５に接続されている。そして、庫内上方向噴射部７１は、制御部２０により弁５７が操作されることで、第２空間Ｓ２ａの上壁１７ａに対して上下方向の中央部から上部に向かって洗浄液を噴射する。同様に、庫内下方向噴射部７３は、制御部２０により弁５９が操作されることで、第２空間Ｓ２ａの下部に位置する整流板１３に対して上下方向の中央部から下部に向かって洗浄液を噴射する。
第２空間Ｓ２ａに噴射された洗浄液及び油分等を含む廃液は、整流板１３が受け皿となり、整流板１３に設けられた第１排水口２５から排水される。
【００５６】
また、隔壁２１には、図１、図３等に示すように、その板状面から概ね垂直に前方に延びる前方板状部２４が設けられている。前方板状部２４は、送風機庫１７の前側の第２空間Ｓ２ａと、第１空間Ｓ１との間の境界において、その境界の一部を覆うように設けられている。よって、前側の第２空間Ｓ２ａと第１空間Ｓ１との境界は、前方板状部２４が配置されていない部分において連通している。
【００５７】
この前方板状部２４は、図４に示すように、整流板１３が接触位置Ｐ１に支持されている場合に、前側の第２空間Ｓ２ａと第１空間Ｓ１との間の境界において、整流板１３の側壁１３ｂの上端と接触する。
【００５８】
なお、庫内洗浄部７０は、庫内上方向噴射部７１及び庫内下方向噴射部７３を含まず、単一の多頭ノズルから構成され、この多頭ノズルから洗浄液を噴射して前側の第２空間Ｓ２ａを洗浄してもよい。
【００５９】
隔壁２１の後側の第２空間Ｓ２ｂには、送風機洗浄部４７が設けられている。送風機洗浄部４７は、弁６１を介して洗浄液供給部６５に接続されており、制御部２０の制御により送風機１５に対して洗浄液を噴射する。後側の第２空間Ｓ２ｂに噴射された洗浄液は、第２排水口２７から排水される。
【００６０】
（２）整流板の上下動
整流板１３を上下動させ、離隔位置Ｐ０及び接触位置Ｐ１において整流板１３を支持する仕組みの一例について説明する。まずは、整流板１３の上下動及び支持の流れについて図２〜図６を用いて説明する。
【００６１】
（２−１）整流板の上下動及び支持の流れ
図３に示すように、整流板１３は、その底壁１３ａの下面とフード部１１の開口面とが概ね面一となるように位置付けられている（離隔位置Ｐ０）。この場合、第１支持部８０は伸長した状態にある。つまり、整流板１３は、伸長した第１支持部８０によりフード部１１内の第１空間Ｓ１の下端に位置付けられている。
このとき、第２支持部９０は、外周部１１ｂの収納部１２内に収納されている。これにより、第２支持部９０は、整流板１３の上下動の邪魔とならない。
【００６２】
次に、利用者が整流板１３を上方に押し上げると、第１支持部８０が縮み、図４に示すように、整流板１３が上方に位置付けられる。つまり、利用者が整流板１３を上方に押し上げると、第１支持部８０が縮み、整流板１３の側壁１３ｂの上端が全周に亘ってパネル部１１ａ及び前方板状部２４に概ね接触する。つまり、第１支持部８０は、ハウジング２の内面と接触する接触位置Ｐ１で整流板１３を支持する。
このようにハウジング２の内面と整流板１３とが接触することで、吸気口２３が閉鎖される。
【００６３】
なお、この場合、利用者が、整流板１３を接触位置Ｐ１まで押し上げると、その接触位置Ｐ１で第１支持部８０が整流板１３を支持してもよい。あるいは、利用者が、整流板１３を接触位置Ｐ１の近傍まで押し上げると、そこから第１支持部８０が接触位置Ｐ１まで整流板１３を押し上げ、第１支持部８０が接触位置Ｐ１で整流板１３を支持してもよい。
【００６４】
次に、利用者は、図２〜図４に示すように収納部１２内に収納されている第２支持部９０を、図５、図６に示すように収納部１２から引き出す。このとき、整流板１３は第１支持部８０により接触位置Ｐ１に支持されており、第２支持部９０は、この接触位置Ｐ１に支持された整流板１３の底壁１３ａを下部から支持する。よって、第１支持部８０による整流板１３の接触位置Ｐ１への支持が、第２支持部９０によって補助されている。
【００６５】
本実施形態では、整流板１３の底壁１３ａを支持する位置まで第２支持部９０を収納部１２から引き出されると、後述の洗浄許可スイッチ１２４（検出部、図９、図１０）がＯＮになる。
【００６６】
上記の図２〜図６に示すように整流板１３を上方に移動させた場合、吸気口２３が閉鎖される。よって、洗浄液噴射部Ｎによりハウジング２内に洗浄液を供給した場合でも、洗浄液及び油分等を含む廃液がレンジフード１から漏出するのを抑制できる。
【００６７】
つまり、整流板１３は、ハウジング２の内部空間Ｓの底部に設けられているため、ハウジング２の内部空間Ｓに洗浄液が供給されると、洗浄液及び油分等を含む廃液が自重により整流板１３側に落下する。この場合、整流板１３の外周とハウジング２のフード部１１の開口との隙間により形成された吸気口２３が開放されていると、吸気口２３から洗浄液及び油分等を含む廃液が漏出してしまう。しかし、上記構成によれば、洗浄液が内部空間Ｓに供給される場合には、第１支持部８０により整流板１３が接触位置Ｐ１に支持されるため、ハウジング２と整流板１３とが接触して、フード部１１の開口と整流板１３との間の隙間がなくなる。つまり、当該隙間により形成されていた吸気口２３が、ハウジング２と整流板１３との接触により閉鎖される。これにより、吸気口２３から洗浄液及び油分等を含む廃液が漏出するのを抑制できる。また、この場合、吸気口２３を開閉するための別途のシャッタが不要である。
【００６８】
また、上記構成では、整流板１３の接触位置Ｐ１への支持は、第１支持部８０だけでなく第２支持部９０によっても行われる。よって、洗浄液が内部空間Ｓに供給される場合において、整流板１３が接触位置Ｐ１から移動してずれてしまうのを抑制できる。つまり、ハウジング２と整流板１３とがより確実に接触するので、吸気口２３の閉鎖もまたより確実に行われる。よって、ハウジング２の内部空間Ｓの洗浄時において、吸気口２３から洗浄液及び油分等を含む廃液が漏出するのをさらに抑制できる。
【００６９】
なお、上記では、図２〜図６を用いて、整流板１３を上昇させてハウジング２の内面に接触させ、吸気口２３を閉鎖する様子を説明した。整流板１３を下降させて吸気口２３を形成する手順は、上記図２〜図６の手順の逆である。
【００７０】
（２−２）整流板の上下動及び支持の仕組み
次に、第１支持部８０及び第２支持部９０により整流板１３を上下動及び支持させる仕組みの一例について以下に説明する。仕組みは次のものに限定されないが、以下では、上下動の仕組みとして、プランジャ機構の第１支持部８０と、上下可動機構の第１支持部１８０及び磁石機構の組み合わせと、ばね機構の第１支持部２８０とを用いた仕組みを例に挙げて説明する。また、可動式のストッパを用いた第２支持部９０の仕組みを例に挙げて説明する。
【００７１】
（ａ）プランジャ機構及び可動式のストッパを用いた仕組み
まず、第１支持部８０としてプランジャ機構を用い、第２支持部９０として可動式のストッパを用いた場合の、整流板１３の上下動及び支持の仕組みについて図７〜図１０を用いて説明する。
【００７２】
（ａ−１）プランジャ機構
図７に示すように、第１支持部８０は、パネル部１１ａに取り付けられている固定部８１と、整流板１３の底壁１３ａの上面に取り付けられた可動部８３と、プランジャ（付勢部材）８４と、を含む。可動部８３は、固定部８１に対して可動に構成されており、可動部８３が固定部８１に対して上下に移動することで整流板１３が上下に移動する。
【００７３】
固定部８１は、例えば、内部に可動部８３を収納可能な空間を有した円筒状の部材である。そして、固定部８１の上端部がパネル部１１ａに取り付けられており、固定部８１の下端部は自由端となっている。固定部８１は、固定本体部８１ａと、固定本体部８１ａよりも水平方向の外側に突出している係止部８１ｂと、フランジ部８１ｃとを有する。係止部８１ｂは、固定本体部８１ａの上方に設けられており、後述のプランジャ先端８３ｅが係止する部分である。なお、係止部８１ｂは、固定本体部８１ａの上端の全周囲に設けられている必要はなく、固定本体部８１ａのうち、少なくともプランジャ先端部８４ａが係止する領域に設けられていればよい。フランジ部８１ｃは、固定本体部８１ａの下端に、固定本体部８１ａの内部空間の径方向内側に向かうように設けられている、フランジ部８１ｃには、可動部８３の後述の可動先端部８３ｂの段差部８３ｂ１が係止する。
【００７４】
可動部８３は、固定部８１の内部で可動できるように、例えば、円筒状の固定部８１よりも一回り小さい円柱状の部材である。可動部８３は、整流板１３の底壁１３ａに固定された可動基部８３ａと、可動基部８３ａの上方に設けられた可動先端部８３ｂとを有する。可動先端部８３ｂは、可動基部８３ａよりも大径であり、可動基部８３ａとの境界に段差部８３ｂ１を有している。可動先端部８３ｂの上部には、固定本体部８１ａの係止部８１ｂに対応する側に、プランジャ８４を収納可能なプランジャ収納凹部８３ｂ２が設けられている。係止部８１ｂが固定本体部８１ａに対して水平方向に沿って外側に突出しているのに応じて、プランジャ収納凹部８３ｂ２は水平方向に沿って形成されている。よって、プランジャ収納凹部８３ｂ２は、可動先端部８３ｂの側部において開口するように形成されている。
【００７５】
プランジャ８４は、プランジャ収納凹部８３ｂ２から突出可能なプランジャ先端部８４ａと、プランジャ先端部８４ａに弾性による付勢力を付与するバネ８４ｂとを有する。プランジャ８４は、プランジャ先端部８４ａが係止部８１ｂに係止可能なように、係止部８１ｂが突出している側にプランジャ先端部８４ａが付勢されるように取り付けられている。図７の場合、バネ８４ｂの一端が、水平方向に沿ったプランジャ収納凹部８３ｂ２のうち、水平方向の奥側に取り付けられている。そして、バネ８４ｂの他端にプランジャ先端部８４ａが取り付けられている。
【００７６】
上記では、バネ８４ｂを有するプランジャ８４を用いて、プランジャ先端部８４ａを係止部８１ｂに係止させることで可動部８３を固定部８１に固定している。しかし、プランジャ先端部８４ａを係止部８１ｂに係止させるための付勢力を有する部材としては、バネ８４ｂに限らず、弾性を有する種々の部材を用いることができる。
【００７７】
（ａ−２）可動式のストッパ
第２支持部９０は、可動式のストッパであり、これに限定されないが、例えば長尺状の板状部９１を有する。第２支持部９０は、未使用時は、図２、図９等に示すように、外周部１１ｂの収納部１２内に収納されて、退避位置に位置付けられている。退避位置では、第２支持部９０は、その板状面が整流板１３の側壁１３ｂに面している。ここで、収納部１２は、外周部１１ｂの側壁１１ｂ１に形成された凹部である。収納部１２は、第２支持部９０の長手方向に沿って並んだ、第１凹部１２１、第２凹部１２２及び第３凹部１２３を有する。第１凹部１２１及び第３凹部１２３の外周部１１ｂへの凹みは、第２凹部１２２よりも大きい。
【００７８】
そして、第２支持部９０は、長手方向の一端が、第３凹部１２３に設けられたピン９３を介して収納部１２内に可動に固定されている。第２支持部９０の長手方向の他端は、第２凹部１２２に達しているが、第２支持部９０の他端と第１凹部１２１との間には隙間が形成されている。この隙間は、ユーザが第２支持部９０を回動により収納部１２から引き出す際の指等の挿入部となる。
【００７９】
第３凹部１２３には、洗浄許可スイッチ１２４（検出部）が設けられている。図９に示すように第２支持部９０が収納部１２に収納されて退避位置にある場合には、洗浄許可スイッチ１２４が開放されてＯＦＦになっている。この場合、洗浄動作は禁止されており、洗浄液噴射部Ｎによりハウジング２内に洗浄液が供給されない。一方、図１０に示すように、第２支持部９０が収納部１２から引き出されて支持位置にある場合には、洗浄許可スイッチ１２４が押圧されてＯＮになっている。この場合、制御部２０は、洗浄許可スイッチ１２４のＯＮを検出すると、洗浄液供給部６５及び各種弁等による洗浄動作を許可する。よって、整流板１３を第１支持部８０及び第２支持部９０によって接触位置Ｐ１に支持させて、吸気口２３の閉鎖の確実性が高まった状態において、洗浄液が内部空間Ｓに供給できる。
【００８０】
なお、第２支持部９０は、接触位置Ｐ１に支持された整流板１３を、さらに支持する際に、退避位置から支持位置まで移動される。このように第２支持部９０は、未使用時に第２支持部９０が収納部１２に収納されているため、整流板１３を上下動させる際に第２支持部９０が邪魔にならない。また、ハウジング２の内部空間Ｓに排気を取り込む際には、吸気口２３が開放されている。このように吸気口２３が開放されている場合に、第２支持部９０が退避位置に位置付けられているため、吸気口２３からの排気の取り込みにおいて第２支持部９０が邪魔にならない。
【００８１】
また、第２支持部９０を収納部１２に収納できることで、レンジフード１の凹凸が少なく、清掃がし易く、見た目にもすっきり感があり優れている。
なお、第２支持部９０は、接触位置Ｐ１に位置付けられている整流板１３の底壁１３ａを支持可能なように、収納部１２内の所定の高さ位置に取り付けられている。
【００８２】
（ａ−３）プランジャ機構及びストッパによる整流板の上下動
プランジャ機構からなる第１支持部８０は、図３に示すように整流板１３が離隔位置Ｐ０に位置している場合は、図７に示すように、可動部８３が固定部８１に対して離隔位置Ｑ０に位置している。図７では、可動部８３の段差部８３ｂ１が、固定部８１のフランジ部８１ｃに係止している。この場合、プランジャ８４のプランジャ先端部８４ａが、固定部８１の固定本体部８１ａの内壁に接しているため、固定本体部８１ａからの押圧力を受けてバネ８４ｂが収縮した状態である。そして、プランジャ８４が、可動部８３のプランジャ収納凹部８３ｂ２内に収納されている。
【００８３】
次に、整流板１３を図３に示す離隔位置Ｐ０から、図４に示す接触位置Ｐ１に移動させると、整流板１３の移動とともに可動部８３が固定部８１に対して上方に移動する。そして、整流板１３が接触位置Ｐ１に位置している場合は、図８に示すように、可動部８３が固定部８１に対して接触位置Ｑ１に位置している。接触位置Ｑ１でのバネ８４ｂは、離隔位置Ｑ０において受けていた押圧力の一部が開放され、付勢力によりプランジャ先端部８４ａをプランジャ収納凹部８３ｂ２から突出させる。よって、プランジャ先端部８４ａは、可動部８３が離隔位置Ｑ０から接触位置Ｑ１へ移動することにより、プランジャ収納凹部８３ｂ２から突出し、固定本体部８１ａから外側に突出した係止部８１ｂに係止している。
【００８４】
上記のように、バネ８４ｂへの押圧力の付加、又は、押圧力の一部の開放によって、整流板１３を、プランジャ機構からなる第１支持部８０により接触位置Ｐ１に位置付けることができる。これにより、ハウジング２と整流板１３とが接触して吸気口２３が閉鎖される。
【００８５】
次に、整流板１３が第１支持部８０によって図４に示す接触位置Ｐ１に支持されると、ユーザは、図９の退避位置にある第２支持部９０を収納部１２から引き出し、図１０に示すように支持位置に移動させる。第２支持部９０を支持位置に移動させることで、第２支持部９０は、接触位置Ｐ１に支持された整流板１３の底壁１３ａの下面を支持する。このとき、ユーザは、第２支持部９０の他端と第１凹部１２１との間の隙間に指等を掛けることで、第２支持部９０を収納部１２から容易に引き出すことができる。
【００８６】
以上のようにして、第１支持部８０及び第２支持部９０により接触位置Ｐ１に整流板１３が支持される。これにより、ハウジング２と整流板１３とが接触して吸気口２３が確実に閉鎖される。そのため、ハウジング２の内部空間の洗浄時において、吸気口２３から洗浄液及び油分等を含む廃液が漏出するのを抑制できる。
【００８７】
（ｂ）磁石機構及び可動式のストッパを用いた仕組み
次に、上下可動機構の第１支持部１８０及び磁石機構の組み合わせと、第２支持部９０として可動式のストッパを用いた場合の、整流板１３の上下動及び支持の仕組みについて図１１〜図１３を用いて説明する。上記と同様の仕組みについては説明を省略する。
【００８８】
図１１等に示すように、第１支持部１８０は、パネル部１１ａに取り付けられている固定部１８１と、整流板１３の底壁１３ａの上面に取り付けられた可動部１８３とを備えている。また、整流板１３の側壁１３ｂの上端には磁石１０３が設けられ、側壁１３ｂの上端に対応するパネル部１１ａには磁石１０１が設けられている。
【００８９】
固定部１８１は、内部を可動部１８３が摺動する円筒状の部材である固定本体部１８１ａと、固定本体部１８１ａの下端のフランジ部１８１ｃとを有する。
可動部１８３は、固定部１８１よりも一回り小さい円柱状の部材であり、整流板１３の底壁１３ａに固定された可動基部１８３ａと、可動基部１８３ａの上方に設けられ、可動基部１８３ａよりも大径の可動先端部１８３ｂとを有する。可動部１８３が固定部１８１に対して下方に摺動されると、可動先端部１８３ｂが固定部１８１のフランジ部１８１ｃに係止する。
【００９０】
ユーザが、図１１に示すようにフード部１１の下端に位置付けられている整流板１３を（離隔位置Ｐ０）、図１２に示すように上方に押し上げると、可動部１８３が固定部１８１に対して上方に摺動することで第１支持部１８０は上方に縮み、側壁１３ｂの上端の磁石１０３と、パネル部１１ａの磁石１０１とが引っ付く。これにより、ハウジング２の内面と整流板１３とが接触することで（接触位置Ｐ１）、吸気口２３が閉鎖される。
【００９１】
さらに、ユーザは、図１３に示すように第２支持部９０を回動させる。これにより、第２支持部９０は、この接触位置Ｐ１に支持された整流板１３の底壁１３ａを支持する。
なお、パネル部１１ａが金属等の磁性体で形成されている場合は、側壁１３ｂの上端の磁石１０３のみが設けられていればよい。つまり、パネル部１１ａ側の磁石１０１は設けられている必要はない。
【００９２】
（ｃ）ばね機構及び可動式のストッパを用いた仕組み
次に、第１支持部２８０としてばね機構を用い、第２支持部９０として可動式のストッパを用いた場合の、整流板１３の上下動及び支持の仕組みについて図１４〜図１９を用いて説明する。上記と同様の仕組みについては説明を省略する。
【００９３】
本仕組みでは、第１支持部２８０は、弾性力のあるバネから構成されている。また、図１４及び図１５に示すように、底壁１３ａとフード部１１の開口面とが概ね面一となるように整流板１３が位置付けられている場合には（離隔位置Ｐ０）、第１支持部２８０は、整流板１３を上方に引き上げる方向に付勢されている。よって、図１４、図１５に示すように吸気口２３を開放し、排気をハウジング２の内部空間Ｓに取り込むために、止め部材１１１により整流板１３の上方への押上げを阻止している。止め部材１１１（１１１ａ、１１１ｂ、１１１ｃ、１１１ｄ）は、例えば整流板１３の底壁１３ａの底面の左右両端において、回動可能に取り付けられている。図１４、図１５においては、止め部材１１１は外周部１１ｂの底面に引っかけられており、これにより整流板１３の押上げが阻止されている。
【００９４】
次に、整流板１３を上方に押し上げる場合には、利用者は、図１６、図１７に示すように止め部材１１１を回動させて、整流板１３の底壁１３ａの底面に位置付ける。この場合、第１支持部２８０が上方への付勢によって縮み、整流板１３が上方に引き上げられる。これにより、整流板１３の側壁１３ｂの上端がパネル部１１ａ及び前方板状部２４に概ね接触する（接触位置Ｐ１）。
【００９５】
さらに、ユーザは、図１８、図１９に示すように第２支持部９０を回動させる。これにより、第２支持部９０は、この接触位置Ｐ１に支持された整流板１３の底壁１３ａを支持する。
なお、バネからなる第１支持部２８０は上方に付勢されているため、第２支持部９０は必ずしも設けられている必要はない。
【００９６】
〔他の実施形態〕
（１）上記実施形態では、ユーザが整流板１３の上下動を行い、この整流板１３の上下動に伴って第１支持部８０、１８０が伸縮する。また、ユーザが、整流板１３の底壁１３ａを支持する位置に第２支持部９０を操作する。
【００９７】
しかし、例えば、第１支持部８０、１８０の伸縮は駆動部（図示せず）により行われてもよい。この場合、例えば、整流板１３の上下動を操作する上スイッチ及び下スイッチが設けられている。ユーザが上スイッチを押すと、指示受付部（図示せず）がその操作を受け付け、これに基づいて制御部２０が駆動部を操作して第１支持部８０、１８０を所定量分だけ上方に縮ませる。これにより、整流板１３が上方に移動して接触位置Ｐ１に位置付けられる。逆に、ユーザが下スイッチを押すと、制御部２０が駆動部を操作して第１支持部８０、１８０を所定量分だけ下方に伸長する。これにより、整流板１３が下方に移動して離隔位置Ｐ０に位置付けられる。
【００９８】
同様に、第２支持部９０の移動は、制御部２０が駆動部（図示せず）を制御することにより行われてもよい。例えば、第２支持部９０の位置を制御するスイッチが設けられており、ユーザによるこのスイッチの操作に基づいて制御部２０が駆動部を制御し、第２支持部９０を移動させる。これにより、第２支持部９０による整流板１３の底壁１３ａの支持及び支持の開放が行われる。
【００９９】
また、第１支持部８０、１８０の操作に対するスイッチ及び第２支持部９０の操作に対するスイッチは一体のものであってもよい。例えば、ユーザがスイッチをＯＮに操作すると、制御部２０は、第１支持部８０、１８０を所定量分だけ上方に縮ませ、さらに第２支持部９０を移動させて整流板１３の底壁１３ａを支持させる。逆に、ユーザがスイッチをＯＦＦに操作すると、制御部２０は、第２支持部９０を移動させて整流板１３の底壁１３ａ支持から開放させ、さらに第１支持部８０、１８０を所定量分だけ下方に伸長させる。このような第１支持部８０、１８０及び第２支持部９０の操作は、例えば、指示受付部（図示せず）が、ユーザから洗浄開始のボタン（図示せず）の操作を受け付けた場合に行われてもよい。
【０１００】
（２）上記実施形態では、第１支持部８０、１８０、２８０及び第２支持部９０が整流板１３を接触位置Ｐ１に支持する。しかし、整流板１３の接触位置Ｐ１での支持は、第１支持部８０、１８０、２８０による支持のみであってもよい。
【０１０１】
なお、上記実施形態では、第２支持部９０が、整流板１３の底壁１３ａの支持のために、外周部１１ｂの収納部１２から所定の位置まで引き出されると、洗浄許可スイッチ１２４がＯＮとなる。これにより洗浄動作が可能となる。
しかし、第２支持部９０を設けない場合には、第１支持部８０、１８０、２８０が整流板１３を接触位置Ｐ１で支持した場合に、洗浄許可スイッチ１２４がＯＮとなってもよい。この場合、例えば、整流板１３の側壁１３ｂに対応するパネル部１１ａに洗浄許可スイッチ１２４が突出する形態で設けられている。そして、整流板１３が接触位置Ｐ１に位置付けられると、整流板１３の側壁１３ｂがパネル部１１ａ及び前方板状部２４に接触して、洗浄許可スイッチ１２４を押圧によりＯＮにしてもよい。これにより洗浄動作が可能となる。
【０１０２】
（３）上記実施形態では、４個の第１支持部８０、１８０、２８０が設けられているが、第１支持部８０、１８０、２８０の数はこれに限定されず、１個以上であれば特に限定されない。ただし、第１支持部８０、１８０、２８０について、整流板１３の上下方向の高さが水平方向に沿って均等に支持できるような個数及び配置が採用されているのが好ましい。
また、上記実施形態では２個の第２支持部９０が設けられているが、第２支持部９０の数はこれに限定されず、１個以上であれば特に限定されない。ただし、第２支持部９０について、整流板１３の底壁１３ａを上下方向の高さが水平方向に沿って均等に支持できるような個数及び配置が採用されているのが好ましい。
【０１０３】
また、上記実施形態では、第２支持部９０は、図９に示すように外周部１１ｂの収納部１２内に配置されて取り付けられている。そして、第２支持部９０は、回動により収納部１２内から整流板１３側に一部が突出することで、整流板１３の底壁１３ａを支持する。
しかし、第２支持部９０の配置位置はこれに限定されず、整流板１３の底部において退避位置に位置付けられていてもよい。整流板１３の底壁１３ａが支持される場合には、第２支持部９０は、回動により整流板１３側から外周部１１ｂ側に一部が突出し、外周部１１ｂに設けられた収納部１２に収納される。これにより、第２支持部９０は、整流板１３と外周部１１ｂとの間に架け渡され、整流板１３の底壁１３ａを支持する。
【０１０４】
前述の通り、第２支持部９０が未使用時に整流板１３の底部において退避位置に位置付けられている場合には、整流板１３を上下動させる際に第２支持部９０が邪魔にならず、また、吸気口２３からの排気の取り込みにおいて第２支持部９０が邪魔にならない。
【０１０５】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１０６】
１        ：レンジフード
２        ：ハウジング
１１      ：フード部
１１ａ    ：パネル部
２３      ：吸気口
６５      ：洗浄液供給部
８０      ：第１支持部
Ｐ１      ：接触位置
【図１】
2019158258.tif 000003
【図２】
2019158258.tif 000004
【図３】
2019158258.tif 000005
【図４】
2019158258.tif 000006
【図５】
2019158258.tif 000007
【図６】
2019158258.tif 000008
【図７】
2019158258.tif 000009
【図８】
2019158258.tif 000010
【図９】
2019158258.tif 000011
【図１０】
2019158258.tif 000012
【図１１】
2019158258.tif 000013
【図１２】
2019158258.tif 000014
【図１３】
2019158258.tif 000015
【図１４】
2019158258.tif 000016
【図１５】
2019158258.tif 000017
【図１６】
2019158258.tif 000018
【図１７】
2019158258.tif 000019
【図１８】
2019158258.tif 000020
【図１９】
2019158258.tif 000021